(57)【特許請求の範囲】
【請求項１】
通信手段を介して外部機器を制御するためのメニュー画面設定ができるデジタルテレビジョン受信機のメニュー設定方法であって、
前記通信手段を介して外部機器を識別するステップと、
データ放送により送信される外部機器制御メニューのカスタマイズ用データの情報を受信し、受信した情報から前記識別された外部機器用のメニューのカスタマイズ用データの有無を検索するステップと、
検索された結果から外部機器用のメニューを表示しての選択を促すステップと、
選択された外部機器用メニュー画面表示からカスタマイズ用データを前記データ放送を介して取得するステップと、
取得したカスタマイズ用データによりカスタマイズしたメニュー画面を、デジタルテレビジョン受信機の標準の外部機器制御メニューと並べて表示するステップと
を有することを特徴とするデジタルテレビジョン受信機のメニュー設定方法。
【請求項２】
同一機器について複数種類のカスタマイズ用データの存在が検索された場合に、その選択画面を表示するステップを有することを特徴とする請求項１に記載のデジタルテレビジョン受信機のメニュー設定方法。
【請求項３】
前記複数種類のカスタマイズ用データは、少なくとも詳細メニュー及び簡易メニューを構成するデータを含むことを特徴とする請求項２に記載のデジタルテレビジョン受信機のメニュー設定方法。
【請求項４】
通信手段を介して外部機器を制御するためのメニュー画面設定ができるデジタルテレビジョン受信機であって、
前記通信手段を介して外部機器を識別する識別手段と、
データ放送により送信される外部機器制御メニューのカスタマイズ用データの情報を受信し、受信した情報から前記識別された外部機器用のメニューのカスタマイズ用データの有無を検索する検索手段と、
検索された結果から外部機器用のメニューを表示する手段と、を有し、
選択された外部機器用メニュー画面表示からカスタマイズ用データを前記データ放送を介して取得する手段と、
取得したカスタマイズ用データによりカスタマイズしたメニュー画面を、デジタルテレビジョン受信機の標準の外部機器制御メニューと並べて表示する手段と
を有することを特徴とするデジタルテレビジョン受信機。
【請求項５】
同一機器について複数種類のカスタマイズ用データの存在が検索された場合に、その選択画面を表示することを特徴とする請求項４に記載のデジタルテレビジョン受信機。
【請求項６】
前記複数種類のカスタマイズ用データは、少なくとも詳細メニュー及び簡易メニューを構成するデータを含むことを特徴とする請求項５に記載のデジタルテレビジョン受信機。
【発明の詳細な説明】
【技術分野】
【０００１】
本発明は、デジタルテレビジョン受信機に係り、特にネットワークを介して外部機器と接続する機能を有し、この接続された外部機器の出力装置又は操作装置としても動作可能なデジタルテレビジョン受信機に関する。
【背景技術】
【０００２】
近年、テレビジョン放送はデジタル放送化が推進され、国内においても、ＢＳ（Broadcasting Satellite）デジタル放送、ＣＳ（Communication Satellite）デジタル放送（ＣＳ１、ＣＳ２）、地上波デジタル放送の運用が開始されている。これらＢＳ，ＣＳ，地上波デジタル放送では、映像信号や音声信号とともに、放送局側からデータ放送信号が送信される。そこで、放送局側からデータ放送の送信ストリームの中に受信機ソフトウェアを挿入して送信し、デジタル放送受信機側でこのデータ放送をマニュアル若しくは自動で受信し、その送信ストリームの中に挿入された当該デジタル放送受信機の受信機ソフトウェアを抽出してダウンロードすることにより、当該デジタル放送受信機自身の受信機ソフトウェアを更新する技術が知られている。
【０００３】
一方で、デジタルテレビジョン受信機の中には、例えばＩＥＥＥ（Institute of Electrical and Electronics Engineers）１３９４規格，ＩＥＥＥ８０２.１１規格などの有線又は無線によるネットワーク、例えばＬＡＮ（Local Area Network）に対する接続機能を備えるようになってきている。このような外部機器との接続が可能なネットワーク接続機能を備えたデジタルテレビジョン受信機は、テレビジョン放送受信専用ではなく、ネットワークを介して相互接続された、例えばＤＶＤ（Digital Versatile Disk）装置等の他のネットワーク接続機器の出力機器として、また、この他のネットワーク接続機器をターゲット機器とするコントローラ機器としても機能し得るようになっている。
【０００４】
例えば、特許文献１には、コントローラ機器としてのデジタルテレビジョン受信機が、ターゲット機器としての相互にネットワーク接続された接続機器からその接続機器自身の操作パネルデータを得るための受信条件を取得し、この受信条件に基づいて放送局から送信されるデータ放送を受信し、そのデータ放送中に含まれている接続機器の操作パネルデータを取得することによって、デジタルテレビジョン受信機自身の表示部にこの相互にネットワーク接続された接続機器の操作パネルをＯＳＤ（On Screen Display）表示し、ユーザがこのＯＳＤ表示された操作パネルを操作して接続機器を制御作動させる技術が示されている。
【０００５】
【特許文献１】特開２００４−３５７１８９号公報
【発明の開示】
【発明が解決しようとする課題】
【０００６】
しかしながら、上述したデジタルテレビジョン受信機を、当該デジタルテレビジョン受信機と相互にネットワーク接続されたターゲット機器としての接続機器についてのコントローラ機器としても機能させる場合、以下のような問題点があった。
【０００７】
通常、デジタルテレビジョン放送を利用して送信される操作パネルデータは、ターゲット機器とコントローラ機器との間の製造メーカの相違や、同じ製造メーカであってもターゲット機器とコントローラ機器との間の接続機種組み合わせの相違等に基づいて、ネットワーク接続されたターゲット機器とコントローラ機器と当該デジタルテレビジョン受信機それぞれの機能等の違いで支障を来たさないように、デジタルテレビジョン受信機共通の汎用の固定データとして作成しなければならなかった。
【０００８】
すなわち、接続機器の製造メーカがその接続機器特有の機能を、デジタルテレビジョン受信機のＯＳＤ画面上の操作パネルから操作できるようにしたい場合において、コントロール機器としてのデジタルテレビジョン受信機自体が、例えば「再生」、「録画」、「停止」、「早送り」、「巻き戻し」等といった接続機器の基本的な操作機能にしか対応できていないことも想定される。
【０００９】
そのため、デジタルテレビジョン放送を利用して送信される操作パネルデータは、デジタルテレビジョン受信機のＯＳＤ画面上の操作パネルから操作できる接続機器の上述した基本性能の部分に関しての部分に限られていた。
【００１０】
この結果、デジタルテレビジョン受信機のＯＳＤ画面上で、接続機器特有の機能を余すところなくコントロールできるような操作パネルを作成することができないため、ネットワーク接続されている接続機器に特有の機能を、デジタルテレビジョン受信機側から利用することが難しいという問題があった。
【００１１】
本発明は、ネットワーク接続されている接続機器に特有の機能を、デジタルテレビジョン受信機側から利用することができるデジタルテレビジョン受信機を提供することを目的とする。
【課題を解決するための手段】
【００１２】
本発明の一観点によれば、通信手段を介して外部機器を制御するためのメニュー画面設定ができるデジタルテレビジョン受信機のメニュー設定方法であって、前記通信手段を介して外部機器を識別するステップと、データ放送により送信される外部機器制御メニューのカスタマイズ用データの情報を受信し、受信した情報から前記識別された外部機器用のメニューのカスタマイズ用データの有無を検索するステップと、検索された結果から外部機器用のメニューを表示しての選択を促すステップと、選択された外部機器用メニュー画面表示からカスタマイズ用データを前記データ放送を介して取得するステップと、取得したカスタマイズ用データによりカスタマイズしたメニュー画面を、デジタルテレビジョン受信機の標準の外部機器制御メニューと並べて表示するステップと、を有することを特徴とするデジタルテレビジョン受信機のメニュー設定方法が提供される。
【００１３】
上記方法によれば、取得したカスタマイズ用データによりカスタマイズされたメニューと、デジタルテレビジョン受信機の標準の外部機器制御メニューと、を並べて１画面に表示するため、ユーザのメニュー操作が簡単になる。
【００１４】
同一機器について複数種類のカスタマイズ用データの存在が検索された場合に、その選択画面を表示するステップを有することが好ましい。複数種類のカスタマイズデータの中から所望のデータを選択して表示させることにより、さらに操作性の良いメニュー表示が可能になる。前記複数種類のカスタマイズ用データは、少なくとも詳細メニュー及び簡易メニューを構成するデータを含むことが好ましい。標準メニューに加えて、それよりも詳細なメニュー又は簡易なメニューの少なくともいずれかを表示させることで、相互に機能を補完することができる統合メニューを作り上げることができる。
【００１５】
本発明の他の観点によれば、通信手段を介して外部機器を制御するためのメニュー画面設定できるデジタルテレビジョン受信機であって、前記通信手段を介して外部機器を識別する識別手段と、データ放送により送信される外部機器制御メニューのカスタマイズ用データの情報を受信し、受信した情報から前記識別された外部機器用のメニューのカスタマイズ用データの有無を検索する検索手段と、検索された結果から外部機器用のメニューの表示する手段と、を有し、選択された外部機器用メニュー画面表示からカスタマイズ用データを前記データ放送を介して取得する手段と、取得したカスタマイズ用データによりカスタマイズしたメニュー画面を、デジタルテレビジョン受信機の標準の外部機器制御メニューを並べて表示する手段と、を有することを特徴とするデジタルテレビジョン受信機が提供される。
【発明の効果】
【００１６】
本発明によれば、デジタルテレビジョン受信機の表示手段の画面上に表示される標準の操作パネル画面に並べて、ネットワークを介して接続されている接続機器固有の専用操作パネル画面を表示することが可能となる。
【００１７】
したがって、デジタルテレビジョン受信機の製品出荷後であっても、ユーザ自身の手によって、データ放送を用いて、デジタルテレビジョン受信機とネットワークによって接続された接続機器の操作パネル画面を、接続機器に応じて変更できるため、デジタルテレビジョン受信機の開発段階での接続機器の操作パネルは汎用の操作パネルのみを準備すれば良いという利点がある。接続機器に応じて作成される特殊パネルを、標準パネルと並べて表示することで、デジタルテレビジョン受信機と外部機器との両方の操作に適したメニュー表示を行なうことができる。デジタルテレビジョン受信機はネットワークを介して相互接続されている接続機器のＣｏｎｆｉｇｒａｔｉｏｎＲＯＭ（以下、ＣｏｎｆｉｇＲＯＭ と称す）から機種コードを取得することが可能なので、自動選択も可能である。
【発明を実施するための最良の形態】
【００１８】
以下、本発明の一実施の形態によるデジタル放送受信機について、ＢＳ，ＣＳ，地上波デジタル放送を受信可能なデジタルテレビジョン受信機を例に、以下、図面とともに説明する。
【００１９】
図１は、本実施の形態に係るデジタルテレビジョン受信機の一構成例を示す図である。本実施の形態のデジタルテレビジョン受信機１は、ＢＳ/ＣＳ系アンテナ２ａと、地上波デジタル系アンテナ２ｂと、ＢＳ/ＣＳ系チューナ部３ａと、地上波デジタル系チューナ部３ｂと、ＢＳ/ＣＳ系復調回路部４ａと、地上波デジタル系復調回路部４ｂと、ＢＳ/ＣＳ系誤り訂正部５ａと、地上波デジタル系誤り訂正部５ｂと、トランスポートデコーダ部６と、ＭＰＥＧ（（Moving Picture Experts Group）デコーダ部７と、ＯＳＤ（On Screen Display）表示部８と、ビデオエンコーダ部９と、音声ＤＡＣ（Digital to Analog Converter）部１０と、ＣＰＵ１１と、フラッシュメモリ（Flash ＲＯＭ(Read Only Memory)）１２と、システムソフト１３と、ＲＡＭ（Random Access Memory）１４と、入力Ｉ/Ｆ（Interface）１５と、ポート（Port）１６と、モデム（Modem）１７及び操作部としてのリモコン３０と、を備えている。
【００２０】
ＢＳ/ＣＳ系チューナ部３ａには、ＢＳ/ＣＳ系アンテナ２ａによって受信された放送衛星（ＢＳ）や通信衛星（ＣＳ）から送信されるデジタル衛星放送信号が入力される。ＢＳ/ＣＳ系チューナ部３ａは、後述するユーザの選局指示に従って、所定のデジタル放送ネットワークの放送チャンネルに関するデジタル衛星放送信号を選局受信し、ＢＳ/ＣＳ系復調回路部４ａに供給する。ＢＳ/ＣＳ系復調回路部４ａは、ＢＳ/ＣＳ系チューナ部３ａで選局受信したデジタル衛星放送信号をデジタル復調する。ＢＳ/ＣＳ系誤り訂正部５ａは、デジタル復調されたデジタル衛星放送信号の誤りに関する修復や訂正を施し、トランスポートストリームデータとして再生する。そして、これらＢＳ/ＣＳ系チューナ部３ａ，ＢＳ/ＣＳ系復調回路部４ａ，及びＢＳ/ＣＳ系誤り訂正部５ａは、デジタルテレビジョン受信機１におけるＢＳ/ＣＳ系のフロントエンド部１８ａを構成する。
【００２１】
一方、地上波デジタル系チューナ部３ｂには、地上波デジタル系アンテナ２ｂによって受信された地上波デジタル放送信号が入力される。地上波デジタル系チューナ部３ｂは、後述するユーザの選局指示に従って、所定の放送チャンネルに関する地上波デジタル放送信号を選局受信し、地上波デジタル系復調回路部４ｂに供給する。地上波デジタル系復調回路部４ｂは、地上波デジタル系チューナ部３ｂで選局受信した地上波デジタル放送信号をデジタル復調する。地上波デジタル系誤り訂正部５ｂは、デジタル復調された地上波デジタル放送信号の誤りに関する修復や訂正を施し、トランスポートストリームデータとして再生する。そして、これら地上波デジタル系チューナ部３ｂ，地上波デジタル系復調回路部４ｂ，及び地上波デジタル系誤り訂正部５ｂは、地上波デジタル系のフロントエンド部１８ｂを構成する。このＢＳ/ＣＳ系のフロントエンド部１８ａ及び地上波デジタル系のフロントエンド部１８ｂからなるデジタルテレビジョン受信機１のフロントエンド部１８の出力は、選択的にトランスポート部１９に供給される。
【００２２】
トランスポート部１９は、トランスポートデコーダ部６を備えている。トランスポートデコーダ部６は、デジタル衛星放送信号及び地上波デジタル放送信号のＭＰＥＧ符号化されているトランスポートストリームデータに含まれている放送映像信号，放送音声信号と、データ信号とを分離する。トランスポートデコーダ部６には、視聴者が選択受信したデジタル放送信号のデジタル放送ネットワークに応じて、ＢＳ/ＣＳ系のフロントエンド部１８ａ又は地上波デジタル系のフロントエンド部１８ｂの中の対応する側から、誤り訂正されたデジタル放送信号のトランスポートストリームデータが供給される。そして、このトランスポート部１９で分離されたＭＰＥＧ符号化されている放送映像信号及び放送音声信号は、ＭＰＥＧデコード部２０に供給される。また、トランスポート部１９で分離されたデータ信号は、ＣＰＵ１１に供給され、システムソフト１３に基づいて処理される。
【００２３】
ＭＰＥＧデコード部２０は、ＭＰＥＧ符号化されている放送映像信号及び放送音声信号を復号化し、接続されている図示省略したテレビジョン受像機やオーディオ装置に映像出力や音声出力を供給出力する。ＭＰＥＧデコード部２０は、ＭＰＥＧデコーダ部７，ＯＳＤ表示部８，ビデオエンコーダ部９，及び音声ＤＡＣ部１０を備えている。ＭＰＥＧデコード部２０は、トランスポートデコーダ部６によって分離されたＭＰＥＧ符号化されている放送映像信号及び放送音声信号それぞれのデータ復調（復号）を行い、ビデオエンコーダ部９及び音声ＤＡＣ部１０に供給する。ＯＳＤ表示部８は、メニューや電子番組表をテレビジョン受像機の画面上に表示するためのＯＳＤ信号を生成し、ビデオエンコーダ部９に供給する。ビデオエンコーダ部９は、ＭＰＥＧデコード部２０でデータ復調された放送映像信号とＯＳＤ表示部８から供給されるＯＳＤ信号とを重畳して、映像出力として接続されるテレビジョン受像機に適したビデオ信号に生成して出力する。音声ＤＡＣ部１０は、ＭＰＥＧデコード部２０でデータ復調された放送音声信号を、音声出力として接続されるオーディオ装置に適した音声信号に生成して出力する。
【００２４】
ＣＰＵ１１は、デジタルテレビジョン受信機１のフロントエンド部１８，トランスポート部１９，ＭＰＥＧデコード部２０とそれぞれ接続されているとともに、フラッシュメモリ１２，ＲＡＭ１４，入力Ｉ/Ｆ１５，ポート１６ともそれぞれ接続されている。ＣＰＵ１１は、通常、ユーザのリモコン操作に基づきリモコン３０から入力Ｉ/Ｆ１５を介して供給されるコントロール信号に基づき、フラッシュメモリ１２中のシステムソフト１３によってその処理を管理・制御され、デジタルテレビジョン受信機１の上述した各部の制御を行う。例えば、ＣＰＵ１１は、受信した放送チャンネルのデジタル衛星放送信号や地上波デジタル放送信号のトランスポートストリームデータにデータ信号として含まれている番組配列情報（SI：Service Information）のＰＡＴ（Program Association Table）やＰＭＴ（Program Map Table）等の情報をトランスポートデコーダ部６から取得してＲＡＭ１４内に貯え、これら情報を用いて電子番組表を生成する。また、ＣＰＵ１１は、ポート１６を介し、公衆回線４０に接続されたモデム１７を介して、ＢＳ，ＣＳ，又は地上波デジタル放送の放送局との間で各種データの送・受信を行う。さらに、ユーザのリモコン操作に基づき、ＢＳ/ＣＳ系チューナ部３ａ又は地上波デジタル系チューナ部３ｂを制御して、ＢＳ，ＣＳ，又は地上波デジタル放送における所定の放送チャンネルを選局させたり、メニュー画面や電子番組表をＯＳＤ表示部８及びビデオエンコーダ部９を介して接続されたテレビジョン受像機の画面上に映像出力したりする。
【００２５】
図２は、本発明の一実施の形態に係るデジタルテレビジョン受信機のリモコンの外観図である。図２に示すように、リモコン３０には、デジタルテレビジョン受信機１の操作部として、各種操作キー（操作片）３１が設けられている。図２において、３２は電源キー、３３はテンキーを兼ねた“１”〜“１２”の直接選局キー、３４は地上波デジタル放送，ＢＳ放送，又はＣＳ放送といった受信デジタル放送ネットワークを切り替えるためのネットワーク選択キー、３５は電子番組表を表示するための電子番組表表示キー、３６はメニュー画面に基づくメニュー設定作業の開始又は終了を指示するためのメニューキー、３７は設定入力する項目を選択する場合等に用いる方向キー、３８は方向キーの操作によって選択された項目を入力設定するための登録キーである。
【００２６】
次に、本実施の形態のデジタルテレビジョン受信機１におけるメニュー設定構成について説明する。
【００２７】
図３は、本実施の形態のデジタルテレビジョン受信機におけるメニュー設定構成のシステム図である。
図３において、４０はメニュー設定処理手段である。メニュー設定処理手段４０は、図１に示したフラッシュメモリ１２に記憶されたシステムソフト１３の中の一つのメニュー設定処理プログラムをＣＰＵ１１が実行することによって構成される。
【００２８】
メニュー設定処理手段４０は、入力Ｉ/Ｆ１５を介して供給される、図２に示したリモコン３０のメニューキー３６のユーザ操作信号に基づき、起動又は停止させられる。
【００２９】
メニュー設定処理手段４０は、その起動によって、ＯＳＤ表示部８を作動制御して、ビデオエンコーダ部９から図示せぬテレビ受像機にメニュー画面表示信号（この場合は、メインメニュー画面表示信号）を供給する。
【００３０】
そして、メニュー設定処理手段４０は、メニューキー３６のユーザ操作信号が再入力されてユーザによるメニュー設定操作が終了するまでの間、リモコン３０の方向キー３７や登録キー３８、さらにはテンキーを兼ねた直接選局キー３３のユーザ操作信号に基づき、メニュー画面の制御表示を行いながら、デジタルテレビジョン受信機１の各種設定を行う構成になっている。
【００３１】
図３の符号５０は、製品製造段階で予め設定された、メニュー自体の大きさやスタイル等といったメニュー画面構成、メニュー画面中におけるフォントの大きさやタイプ，色合い，アイコン等といった画面表示態様に関するデータが記憶されているデフォルトデータ記憶手段である。このデフォルトデータ記憶手段５０は、前述した“映像調整”の選択メニュー項目を例に挙げて説明すれば、その色データ，機能データ，構成ビットマップ，フォントサイズ及びタイプ、等といった表示関係データが、製品製造段階でデフォルトデータとしてフラッシュメモリ１２に記憶されて構成される。これに対応させて、メニュー設定処理手段４０のパラメータ４１には、当初は、製品製造段階でこのデフォルトデータ記憶手段５０に記憶されている対応するデフォルトデータのパラメータデータが設定される。
【００３２】
さらに、本実施の形態のデジタルテレビジョン受信機１は、図３に示したカスタマイズ用データ取得手段６０、カスタマイズ制御手段７０及びカスタマイズ用データ格納記憶手段８０を備えている。
【００３３】
本実施の形態では、カスタマイズ用データ取得手段６０は、図１に示したＣＰＵ１１がフラッシュメモリ１２に記憶されたシステムソフト１３の中のカスタマイズ用データ取得プログラムを、また、カスタマイズ制御手段７０はＣＰＵ１１がシステムソフト１３の中のカスタマイズ制御プログラムを実行することによって構成される。また、カスタマイズ用データ格納記憶手段８０は、ユーザがその嗜好に合わせて取得したメニュー画面のカスタマイズ用データが格納記憶される。このカスタマイズ用データ格納記憶手段８０は、デジタルテレビジョン受信機１の電源状態に関係なく記憶保持可能なようにフラッシュメモリ１２に構成される。
【００３４】
次に、これらカスタマイズ用データ取得手段６０、カスタマイズ制御手段７０、によるメニュー画面のカスタマイズ処理について説明する。メニュー画面のカスタマイズ用データは、予め定められたテレビジョン放送局のデータ放送チャンネルで、後述のメニュープログラムやメニューデータと同様に、カルーセルデータで送信されてくる。このメニュー画面のカスタマイズ用データは、デジタルテレビジョン受信機１に備えられたメニュー設定処理手段４０の形式に応じて、メニュー画面のスタイルが同じであっても、デジタルテレビジョン受信機１の機種毎に対応させたそれぞれ別のデータとして送信されてくる。ユーザは、デジタルテレビジョン受信機１のチューナ部３によってこのデータ放送チャンネルを選局受信することによって、カスタマイズ用データ取得手段６０により自身の嗜好にあったメニュー画面を取得する。
【００３５】
ここで、当該データ放送チャンネルにおいて、カルーセルデータで送信されてくる各カスタマイズ用データは、色データ、機能データ、構成ビットマップ、フォントサイズ及びタイプ、等といった表示関係データと、メニュー設定処理手段４０の対応するパラメータ４１を示す更新パラメータとから構成されている。
【００３６】
図４Ａ、図４Ｂは、本実施の形態によるデジタルテレビジョン受信機の一実施の形態による処理例を示す図であり、データ放送の機能を用いてＴＶ受信機のＯＳＤに表示されるｉＬｉｎｋ操作パネルを、ＴＶ受信機に接続しているｉＬｉｎｋ機器に応じて特殊機器用に変更するまでの処理を示す図である。
【００３７】
まず、ステップＳ１において、サービスを行なっているデータ放送のチャネルの選局を行なうと、ステップＳ２に示すように、選局したチャネルのメインメニュー画面が表示される。次いで、メニュー画面からステップＳ３に示すように、受信機ｉＬｉｎｋパネル画面カスタマイズ処理として、ＴＶ受信機の機種を選択する画面が表示され、複数の機種からＴＶ受信機の機種を選択する。ステップＳ４において、ＴＶ受信機と接続されているｉＬｉｎｋ機器の選択候補が表示され、この中から接続してきるｉＬｉｎｋ機器を選択する。ステップＳ５において、カルーセルデータからiLinkパネルのカスタマイズデータの受信を行う（受信機画面上に「ただいまiLinkパネル画面プログラムダウンロード中」のメッセージが表示される）。ステップＳ６において、カスタマイズデータを使ってiLinkパネル画面構成プログラムの一部パラメータの更新（受信機画面上に「ただいまiLinkパネル画面プログラム更新中」のメッセージ）が表示される。ステップＳ７において、例えば図に示されるようなiLinkパネル（メニュー画面）が表示される。
【００３８】
図５は、メニュー画面のカスタマイズ処理の流れを示すフローチャート図である。各処理に対応する表示画面も示している。まず、ｉＬｉｎｋ特別パネル追加処理を開始すると、ステップＳ１１において、ｉＬｉｎｋ特別パネル用のサブプログラム又はパラメータを送信するデータ放送を選局する。ステップＳ１２において、機種を設定する。ＳＣ０２には、複数の機種名が表示されており、これらの中から機種を任意に選択することができる。ここでは、ＤＶ−ＨＲＤ３００が選択されている。
【００３９】
尚、機種の設定処理は、接続ｉＬｉｎｋ機器の会社ＩＤ、製造ＩＤでマッチングすることにより、自動的に設定することも可能である。指定したｉＬｉｎｋに対して、１機種についてｉＬｉｎｋ特別パネルが複数準備されている場合には、例えばＳＣ０３に示す画面が表示され、例えば、シンプル（簡易メニュー）と機能重視（詳細メニュー）などのパネルの特徴毎に選択できるように選択ボタンが用意されている（ステップ１３）。ここでは、シンプルのボタンを押すことで、シンプルなｉＬｉｎｋ特別パネルデータを取得する処理を行なう（ステップＳ１４）。この場合には、画面には、ＳＣ０４に示すように、「ｉＬｉｎｋ特別パネルデータダウンロード、更新中」などの現在の状況を表示させることもできる。この表示を見ることで、ユーザは現在の処理状況を知ることができる。複数のパネルが設定されていない場合は、ステップＳ１３をスルーする。
【００４０】
ステップ１５において、選択したｉＬｉｎｋ特別パネルデータに合わせて、ｉＬｉｎｋ特別パネルを表示画面上に生成する。この際、ＳＣ０６に示すように、従来パネル（元からテレビにあったパネル）と、上記処理により取得した簡易メニューを有する特別パネルと、を同じ画面に並べて表示させる。ここで、ステップ１６において更新完了通知が出され、処理が一旦終了する。
【００４１】
ＳＣ０６に示すように、表示画面には、時刻と、電源のオンオフ状況と、停止、再生、一時停止、入力設定などの一般的な操作メニューと、特別パネルである簡易メニューとして、特殊再生１と、特殊再生２と、ＨＥＬＰと、ビットレート値と、が示されている。この特殊メニューから、選択した接続ｉＬｉｎｋ機器では、追っかけ再生やしおり再生などの特殊再生１、２が可能なことがわかる。さらに、従来パネルと特殊パネルとを同じ表示画面に並べて表示させることで、停止、再生、一時停止、入力設定などの一般的な操作と、特殊再生１、特殊再生２などの接続ｉＬｉｎｋ機器に特有の操作とを、２つの操作メニューがあたかも１つの操作メニューとなるように操作可能であり、優れた操作性を持たせることができる。
【００４２】
尚、図示はしないが、上記処理において詳細メニューを選択した場合には、従来パネルと、詳細メニューとが並べて表示される。
【００４３】
以上のように、本実施の形態によれば、カスタマイズメニューがあるかどうか判断し、カスタマイズメニューがあった場合にはそれを取得し、標準メニューとカスタマイズメニューとを並べて表示することができる。
【００４４】
また、同一の接続ｉＬｉｎｋ機器について複数種類のカスタマイズ用データの存在が検索された場合には、その選択画面を表示することで、いずれかを選択することができる。例えば、複数種類の選択を行なうことで、複数のカスタマイズデータを表示させることも可能である。この場合に、複数種類のカスタマイズ用データが、少なくとも詳細メニュー及び簡易メニューを構成するデータであれば、互いに補完するデータを１つの操作画面に表示させて、優れた操作性を有するメニューを提供することができる。尚、操作メニューの代わりに、マニュアルやヘルプ機能へのアクセス元としての表示を行なうことで、例えば詳細なカスタマイズデータに関する情報をユーザに提供することが可能である。
【産業上の利用可能性】
【００４５】
本発明は、デジタルテレビジョン受信機に利用可能である。
【図面の簡単な説明】
【００４６】
【図１】本発明の一実施の形態に係るデジタルテレビジョン受信機の構成図である。
【図２】本発明の一実施の形態に係るデジタルテレビジョン受信機のリモコンの外観図である。
【図３】本実施の形態のデジタルテレビジョン受信機におけるメニュー設定構成のシステム図である。
【図４Ａ】本実施の形態によるデジタルテレビジョン受信機の一実施の形態による処理例を示す図であり、データ放送の機能を用いて、ＴＶ受信機のＯＳＤに表示されるｉＬｉｎｋ操作パネルを、ＴＶ受信機に接続しているｉＬｉｎｋ機器に応じて特殊機器用に変更するまでの処理を示す図である。
【図４Ｂ】図４Ａに続く処理を示す図である。
【図５】本実施の形態のデジタルテレビジョン受信機によるメニュー画面のカスタマイズ処理の流れを示すフローチャート図である。
【符号の説明】
【００４７】
１  デジタルテレビジョン受信機
６  トランスポートデコーダ部
８  ＯＳＤ表示部
９  ビデオエンコーダ部
１１  ＣＰＵ
１２  フラッシュメモリ
１３  システムソフト
１４  ＲＡＭ
１５  入力Ｉ/Ｆ
１６  ポート
１７  モデム
１８  フロントエンド部、１８ａ  ＢＳ/ＣＳ系フロントエンド部、１８ｂ  地上波デジタル系のフロントエンド部、
１９  トランスポート部
２０  ＭＰＥＧデコード部
３０  リモコン
３１  操作キー
３２  電源キー
３６  メニューキー
４０  メニュー設定処理手段
５０  デフォルトデータ記憶手段
６０  カスタマイズ用データ取得手段
７０  カスタマイズ制御手段
８０  カスタマイズ用データ格納記憶手段
【図１】
0004676356.tif 000002
【図２】
0004676356.tif 000003
【図３】
0004676356.tif 000004
【図４Ａ】
0004676356.tif 000005
【図４Ｂ】
0004676356.tif 000006
【図５】
0004676356.tif 000007